(57)【要約】【課題】  高齢者特有の姿勢・体形に適合したズレにくく、装着感の良い、モレ防止性に優れた使い捨ておむつを提供すること。【解決手段】  使い捨ておむつ１は、背側領域Ｂの長手端部５０Ｂから股下領域Ｃの幅が最小値を示す部位までの長さＬｂと、腹側領域Ａの長手端部５０Ａから股下領域Ｃの幅が最小値を示す部位までの長さＬａとの比（Ｌｂ／Ｌａ）が１．４〜２．０であり、背側領域Ｂに両端部が位置し且つ股下領域Ｃに中央部が位置するようにヒップ弾性部材６３が配されており、そのヒップ弾性部材６３は、吸収体４の長手方向の両側部と重なる部分を有しており、吸収体４が、少なくとも、股下領域Ｃを背側股下領域ＣＢと腹側股下領域ＣＡとに区分したときの背側股下領域ＣＢに、該吸収体４の長手方向に延びる屈曲手段８０を有する。【選択図】    図２
2005168832.tif 000002
【特許請求の範囲】
【請求項１】
液透過性の表面シート、液不透過性の裏面シート及びこれらの両シート間に配置された液保持性の吸収体を備え、腹側領域、背側領域及びこれらの間に位置する股下領域を有する使い捨ておむつにおいて、
背側領域の長手端部から前記股下領域の幅が最小値を示す部位までの長さＬｂと、腹側領域の長手端部から前記股下領域の幅が最小値を示す部位までの長さＬａとの比（Ｌｂ／Ｌａ）が１．４〜２．０であり、
前記背側領域に両端部が位置し且つ前記股下領域に中央部が位置するようにヒップ弾性部材が配されており、前記ヒップ弾性部材は、前記吸収体の長手方向の両側部と重なる部分を有しており、
前記吸収体は、少なくとも、前記股下領域を背側股下領域と腹側股下領域とに区分したときの背側股下領域に、該吸収体の長手方向に延びる屈曲手段を有することを特徴とする使い捨ておむつ。
【請求項２】
前記ヒップ弾性部材は、前記吸収体の幅方向中央部で左右に分割されており、前記吸収体は、離間した弾性部材同士間の領域に、前記屈曲手段を有することを特徴とする請求項１記載の使い捨ておむつ
【請求項３】
前記屈曲手段が、前記吸収体に形成された低剛性領域であることを特徴とする請求項１又は２記載の使い捨ておむつ。
【請求項４】
前記屈曲手段が、前記吸収体の長手方向に複数配置されていることを特徴とする請求項１〜３の何れかに記載の使い捨ておむつ。
【請求項５】
前記屈曲手段が、前記吸収体の幅方向に複数配置されていることを特徴とする請求項１〜４の何れかに記載の使い捨ておむつ。
【請求項６】
前記屈曲手段が、前記背側股下領域において前記吸収体の長手方向にわたって欠落する欠落部であって、前記欠落部は、前記吸収体の両側縁よりも前記吸収体の幅方向内方側に離間した領域に位置し、前記欠落部は、前記欠落部の前記背側股下領域における背側端部から幅方向中央線に向かって前記欠落部の幅が広がっていることを特徴とする請求項１〜５の何れかに記載の使い捨ておむつ。
【請求項７】
着用者の足廻りに配される一対のレッグ部に、それぞれレッグ部弾性部材が伸長状態で配され、着用者の胴回りに配される胴まわり部に、胴まわり部弾性部材が伸長状態で配され、前記レッグ部弾性部材および／または前記胴まわり部弾性部材は前記吸収体の幅方向中央部で左右に分割されていることを特徴とする請求項１〜６の何れかに記載の使い捨ておむつ。
【発明の詳細な説明】
【技術分野】
【０００１】
本発明は、高齢者特有の姿勢・体形に適合したズレにくく、装着感の良い、モレ防止性に優れた使い捨ておむつに関する。
【背景技術】
【０００２】
高齢者は一般成人に比べ着座時間が長く、また腰曲がり等の体型変化があることが一般的に知られている。しかし、従来の使い捨ておむつには、こうした高齢者に特徴的な姿勢、体型変化が考慮されておらず、その結果、ズレ落ちの発生、装着感の悪化、モレ防止性の低下等の不都合が発生していた。
特開平１０−１２７６８７には、後身頃持ち上げ弾性伸縮部材を設けたパンツ型使い捨ておむつが記載されている。ただし、背側長および腹側長の差が小さい形状（着座時に背側にゆとりが無い形状）において、後身頃持ち上げ弾性伸縮部材を配置すると、かえって着座時に背側端部のズレ落ちを誘発しやすく好ましくない。また、吸収体に長手方向にわたって屈曲手段が配設されていないため、吸収体は臀部の起伏に追従できず、臀部への吸収体の密着向上効果は乏しい。
【０００３】
【特許文献１】特開平１０−１２７６８７
【発明の開示】
【発明が解決しようとする課題】
【０００４】
本発明者らは、おむつズレ落ちの原因について鋭意研究した結果、着座時に発生する背側股下領域における皮膚の伸びが、背側端部を下方へ引張るズレ落ち力を発生させていることを知見し、更に股下領域の幅が最小値を示す部位を所定距離腹側方向に移動することによりそのズレ落ち力を低減させることができることを知見した。そして、そのように股下領域の最小幅部位を所定距離腹側方向に移動させた使い捨ておむつによれば、着座時や腰曲がり等の体型変化のある着用者に対し、ズレ落ちの発生、装着感の悪化、モレ防止性の低下をある程度改善することができたが、反面、立位時や腰曲がり等の体型変化が小さい着用者に対しては背側股下領域がたるみ、立位時の装着感が低下するという新たな不都合が発生した。
【０００５】
背側股下領域のたるみは、吸収体と肌の密着性を低下させ、装着感の低下のみならず防漏効果を低下させる原因にもなる。特に高齢者の場合は、臀部の頬がこけてくるため臀部形状の起伏が大きく、背側股下領域における吸収体の密着性低下が発生しやすい。高齢者の背側股下領域への吸収体の密着性向上が求められてきたが、満足する改善は未だなされていない。
【０００６】
従って、本発明の目的は、高齢者特有の姿勢・体形に適合したズレにくく、装着感の良い、モレ防止性に優れた使い捨ておむつを提供することにある。
【課題を解決するための手段】
【０００７】
本発明は、液透過性の表面シート、液不透過性の裏面シート及びこれらの両シート間に配置された液保持性の吸収体を備え、腹側領域、背側領域及びこれらの間に位置する股下領域を有する使い捨ておむつにおいて、背側領域の長手端部から前記股下領域の幅が最小値を示す部位までの長さＬｂと、腹側領域の長手端部から前記股下領域の幅が最小値を示す部位までの長さＬａとの比（Ｌｂ／Ｌａ）が１．４〜２．０であり、前記背側領域に両端部が位置し且つ前記股下領域に中央部が位置するようにヒップ弾性部材が配されており、前記ヒップ弾性部材は、前記吸収体の長手方向の両側部と重なる部分を有しており、前記吸収体は、前記股下領域を背側股下領域と腹側股下領域に区分したときの前記背側股下領域に、該吸収体の長手方向に延びる屈曲手段を有することを特徴とする使い捨ておむつ使い捨ておむつを提供することにより前記目的を達成したものである。
【発明の効果】
【０００８】
本発明の使い捨ておむつは、装着感に優れ、且つズレ落ちにくいものである。
【発明を実施するための最良の形態】
【０００９】
以下、本発明をその好ましい実施形態に基づいて説明する。
第１実施形態の使い捨ておむつは、成人用のパンツ型おむつであり、図１〜３に示すように、液透過性の表面シート２、液不透過性の裏面シート３及び液保持性の吸収体４を備え、着用時に着用者の腹側に配される腹側領域Ａ及び背側に配される背側領域Ｂ及びこれらの間に位置する腹側領域Ｃを有し、腹側領域Ａの両側縁部Ａ１，Ａ１と背側領域Ｂの両側縁部Ｂ１，Ｂ１とがヒートシール、高周波シール、超音波シール等の公知の接合手段により接合されて、ウエスト開口部５及び一対のレッグ開口部６，６が形成されている。前記股下領域Ｃは、おむつ長手方向と同方向の股下領域Ｃの長さを２等分するおむつ幅方向の仮想線（本実施形態のおむつ１においては、おむつ長手方向を２等分するおむつ幅方向中央線と同じ）を境にして、腹側領域Ａ寄りの領域である腹側股下領域ＣＡと背側領域Ｂ寄りの領域である背側股下領域ＣＢとに区分される。
【００１０】
本使い捨ておむつ１は、図２及び図３に示すように、吸収性本体１０と、該吸収性本体１０の外面（着用者とは反対側に向けられる面）側に位置して該吸収性本体１０を固定している外装体２０とからなる。吸収性本体１０は、縦長矩形状をなしており、表面シート２、裏面シート３及びこれら両シート間に挟持固定された吸収体４を具備してなる。吸収性本体１０は、その長手方向を、展開状態（図２に示す状態）におけるおむつ長手方向に一致させ、外装体２０の中央部に公知の接合手段により接合されている。吸収性本体１０には、図３に示すように、一対の立体ガード７が形成されている。
【００１１】
第１実施形態のおむつ１における吸収体４には、該吸収体４の長手方向（おむつの長手方向と同じ、図２の上下方向）に延びる屈曲手段として、中央欠落部８０が設けられている。本実施形態における中央欠落部８０は、吸収体４の長手方向の前後端間に亘っており、前記背側股下領域ＣＢ及び前記腹側股下領域ＣＡに亘って形成されている。背側股下領域ＣＢに屈曲手段を有するという場合、吸収体の長手方向に延びる屈曲手段の一部が背側股下領域ＣＢ内に存在すれば良い。
そして、吸収体４に中央欠落部８０が設けられていること、及び後述するヒップ弾性部材の収縮作用によって、おむつ装着状態においては、図３（ｃ）に示すように、吸収体４が、背側股下領域ＣＢにおける吸収体の幅方向中央部で屈曲し、中央欠落部８０の両側に位置する屈曲吸収体部９０が、それぞれ幅方向の外方へ向かうにしたがって上昇する状態となる。
【００１２】
屈曲手段が、吸収体４に形成された低剛性領域であることが屈曲容易性および加工容易性の観点から好ましい。低剛性領域とは、他の領域よりも剛性が低い領域を意味する。このような低剛性領域を形成する領域は、少なくとも背側股下領域において配置されていれば特に限定はされないが、背側股下領域において吸収体本体の側縁よりも吸収体本体の幅方向内方側に離間して長手方向に延びるように配置されていることが好ましい。
【００１３】
このような低剛性領域の形成方法としては、吸収体本体の一部の剛性を他の部位の剛性よりも低くすることが可能な方法であれば特に限定されない。例えば、吸収体の一部を所定の形状にくり抜く方法（欠落部を形成する方法）、吸収体の一部を他の部位よりも低坪量とする方法、吸収体の一部を他の部位よりも薄くする方法、吸収体の一部を他の部位よりも柔軟な材料により形成する方法等、およびこれらの１または２以上を組み合わせた方法等を挙げることができる。この中でも、吸収体の一部を所定の形状にくり抜く方法、吸収体の一部を他の部位よりも低坪量とする方法であることが好ましい。
【００１４】
第１実施形態における外装体２０は、図２に示すように、おむつ長手方向の中央領域の両側部にレッグ開口部形成用の一対の凹欠部６０，６０を有している。外装体２０の長手方向の両端部には、ウエスト部弾性部材５１が配されている。
【００１５】
本実施形態のおむつ１は、ウエスト回り領域及び胴回り領域のそれぞれ周方向に弾性伸縮性を有している。
成人用のおむつにおいて、ウエスト回り領域Ｄとは、図１、図２に示すように、ウエスト開口部５の開口周縁端５０から下方に５０ｍｍまでの領域であり、胴回り領域Ｅとは、ウエスト回り領域Ｄよりも下方に位置し且つレッグ開口部６の上端部６５の位置よりも上方に位置する領域である。
本実施形態のおむつ１におけるウエスト回り領域Ｄは、外装体２０を構成する前記外層シート及び該シートに固定されたウエスト部弾性部材５１により、実質的にその全周にわたって周方向の弾性伸縮性を発現し、胴回り領域Ｅは、外装体２０を構成する外層シート及び該シートに固定された胴まわり弾性部材７１により、少なくとも腹側部Ａ及び背側部Ｂそれぞれの両側部に位置する部分が周方向の弾性伸縮性を発現する。
【００１６】
本実施形態のおむつ１における背側領域Ｂの長手端部５０Ｂから、股下領域Ｃの幅Ｗが最小値Ｗ１を示す部位までの長さＬｂと、腹側領域Ａの長手端部５０Ａから、前記股下領域Ｃの幅Ｗが最小値Ｗ１を示す部位までの長さＬａとの比（Ｌｂ／Ｌａ）は１．４〜２．０である。
【００１７】
前記比（Ｌｂ／Ｌａ）が１．４以下であると、着座時の背中側のズレが発生しやすく、特に腰が曲った高齢者の場合には大きな背中側のズレが発生しやすくなるとともに、着用時に背中側の所定位置まで引き上げることも困難となり足も入れにくい。また、ヒップ弾性部材を配設すると更にズレが促進されるため配設が困難となる。他方、前記比（Ｌｂ/Ｌａ）が２．０以上であると、着座姿勢、腰曲がり等の対応を越えた過度の形状となり、背中側のだぶつきが大きく、装着感が低下する。
ズレ落ちの発生や足が入れ難いことによる不快感の発生を防止しつつ、装着感を一層向上させる観点から、前記比（Ｌｂ/Ｌａ）は１．６〜２．０であることがより好ましい。
【００１８】
本実施形態のおむつ１によれば、前記比（Ｌｂ/Ｌａ）を上記特定の範囲とする共に、前記吸収性本体１０が、屈曲手段として、吸収体４の長手方向に欠落した中央欠落部８０を有することにより、着用時に、背側股下領域における吸収体が幅方向中央部で分割され、前記分割された吸収体が背側股下領域幅方向中央部において屈曲し、中央欠落部８０の両側に位置する屈曲吸収体部９０が、幅方向の外方へ向かうにしたがって上昇する状態となることにより、臀部の起伏に沿って吸収体が位置することが出来る。そして、臀部の起伏に沿って位置した前記屈曲吸収体部９０をヒップ弾性部材６３が肌に圧接させるため、肌と吸収体の密着性が向上し防漏効果が向上する。また、吸収体が幅方向に屈曲することにより、実質吸収性能を確保しつつ、見かけ幅が減少し、吸収体に容易に脚を通すことができるようになる。装着性を高め、着座時でも背中側がズレ落ちにくくするために股下最小巾位置を腹側に持ってくることと、吸収体を臀部に密着させ防漏性能を確保するという、相反する要請を同時に達成することができる。
【００１９】
本実施形態のおむつ１は、図２に示すように、一対のレッグ部に、それぞれ第１レッグ部弾性部材６１、第２レッグ弾性部材６２が伸長状態で配され、着用者の胴回りに配される胴まわり部に、胴まわり部弾性部材７１が伸長状態で配され、前記第１レッグ部弾性部材６１、第２レッグ弾性部材６２および前記胴まわり部弾性部材７１、吸収体の配設されていない領域を除いて、幅方向中央部で左右に離間している。
【００２０】
本実施形態のおむつ１においては、背側領域Ｂに両端部が位置し且つ股下領域Ｃに中央部が位置するようにヒップ弾性部材６３が湾曲させて配されている。
また、ヒップ弾性部材６３は、股下領域Ｃに位置する中央部に、吸収体４の長手方向の両側部と重なる部分を有している。
また、本実施形態におけるヒップ弾性部材６３は、吸収体４の幅方向中央部で左右に分割されている。そして、吸収体４の幅方向中央部には、ヒップ弾性部材が存在しない領域Ｐが生じており、前記中央欠落部８０はこの領域Ｐに設けられている。分割されたヒップ弾性部材６３は、おむつ幅方向中央側の端部６３ｂが吸収体４の両側部と重なっており、おむつ幅方向外側の端部６３ａは、背側領域Ｂの左右両側縁部に位置している。
【００２１】
ヒップ弾性部材６３がこのように配されていることで、ヒップ弾性部材は、吸収体の屈曲を阻害せず、屈曲した吸収体が容易かつ正確に臀部に当接して、防漏効果を向上させることができる。
【００２２】
本実施形態のおむつ１は、図２に示すように、レッグ開口部６形成用の凹欠部６０の形状を、背側股下領域ＣＢよりも腹側股下領域ＣＡを大きく切り欠いた形状としてあり、股下領域Ｃの幅Ｗが最小値Ｗ１を示す部位〔図２（ａ）参照〕が、前記腹側股下領域ＣＡに存在している。
股下領域Ｃの幅Ｗが最小値Ｗ１を示す部位〔図２（ａ）参照〕と、おむつ長手方向全長を２等分するおむつ幅方向中央線ＣＬとの離間距離Ｌ１〔図２（ｂ）参照〕は３５〜１４０ｍｍ、特に５０〜８０ｍｍであることがより好ましい。
【００２３】
本発明者らは、おむつズレ落ちの原因について鋭意研究した結果、前身頃（おむつ長手方向全長を２等分するおむつ幅方向中央線ＣＬを境にした腹側領域Ａ側）における、着用者の大腿部周辺に配される部位が、歩行時の脚の動きにより下方へのズレ落ち力を発生させることを知見し、更に一対のレッグ開口部が最接近する部位を腹側方向に移動することによりそのズレ落ち力を低減させることができることを見いだした。
また、着座の後身頃の皮膚の伸びが背中側ズレ落ちを促進するため、あらかじめ後身頃を長く設計し、背中側のズレ落ちを効果的に防止した。
本実施形態のおむつ１は、斯かる構成を有することにより、立位・座位ともに快適な装着感を与えることと、ズレ落ちを生じさせないという、相反する要請を同時に達成することができる。
【００２４】
前記距離Ｌ１は、ズレ落ちを防止しつつ装着感を一層向上させる観点から３５〜１４０ｍｍ、さらに好ましくは５０〜８０ｍｍであることが好ましい。
【００２５】
本明細書に記載の各部の寸法は、おむつの展開且つ伸長状態において測定する。ここで、展開且つ伸長状態とは、サイドシール部を引き剥がして、おむつを展開状態とし、その展開状態のおむつを、各部の弾性部材を伸長させて、設計寸法（弾性部材の影響を一切排除した状態で平面状に広げたときの寸法と同じ）となるまで拡げた状態をいう。尚、股下領域Ｃの幅がおむつ長手方向の所定の範囲に亘って同じであり、その幅が最小値Ｗ１である場合、その所定の範囲の長手方向中央部を、股下領域Ｃの幅が最小値Ｗ１を示す部位とする。
【００２６】
本実施形態のおむつ１は、装着感を一層確実に向上させ、また、吸収性能の低下や高齢者の嗜好への不適合といった不都合を一層確実に防止する観点から、前記平面状態において、両レッグ開口部５，５間の幅Ｗ１の最小値は１００〜２００ｍｍ、特に１２０〜１８０ｍｍであることが好ましい。
【００２７】
外装体２０は、図３に示すように、おむつの外表面（着用者とは反対側に向けられる面）を形成する外層シート２１と、該外層シート２１に隣接してその内側に積層接着された内層シート２２とを具備し、これら両シート間に、後述する各種の弾性部材５１、６１、６２、６３、７１が、ホットメルト型接着剤等の接着剤を用いて固定されている。
【００２８】
本使い捨ておむつ１は、ウエスト開口部の開口周縁部に周方向に沿ってウエストギャザー形成用のウエスト弾性部材５１が配設されており、一対のレッグ開口部それぞれの開口周縁部にもその周方向に沿ってレッグ弾性部材６１、６２が配設されている。更に、ウエスト開口縁端５０から股下方向に５０ｍｍ離間した位置から、レッグ開口部６の上端縁６５の位置までの範囲である胴回り領域Ｅにも、胴回り方向に沿って複数本の胴回りギャザー形成用の胴回り部弾性部材７１が配設されている。
【００２９】
弾性部材６１、６２により形成されたギャザーにより、腹側股下領域ＣＡ及び背側股下領域ＣＢそれぞれレッグ開口部同士間に弾性伸縮性が付与されており、また、胴回り部弾性部材７１及びウエスト弾性部材５１の存在の有無がレッグ部同士間の寸法に影響を与えるため、これらの弾性部材５１，６１，６２，６３，７１の収縮力の影響を排除した状態で、平面状態における各部の寸法を測定する。具体的には、弾性部材５１，６１，６２，６３，７１は、各弾性部材を除去したり切断したりして収縮力を発現しないようにするか、又は各弾性部材が存在しない場合と同じ寸法まで拡げて固定した状態（緊張状態）で測定する。
【００３０】
本実施形態のおむつにおいては、弾性部材６１、６２，６３，７１が、左右に分割配置されており、何れの弾性部材６１，６２，６３，７１も、吸収体４の少なくとも幅方向中央部においては弾性伸縮性を発現していない。本発明のおむつは、吸収体４の幅方向中央部には、該吸収体４の長手方向の全長にわたって弾性部材が配されていないことが好ましく、該吸収性本体１０は、長手方向にわたって少なくともひとつの屈曲手段として吸収体４の長手方向に欠落した中央欠落部８０が形成されており、着用時に、臀部における前記吸収体が幅方向に屈曲する屈曲吸収体部９０とからなる。
【００３１】
本発明のおむつにおいては、吸収体の幅が従来のものに比して狭くなる傾向にあるため、吸収体の幅が弾性部材の収縮力により更に狭くなると、歩行時の活動によって、吸収体の位置が着用者の排泄部の位置からずれて漏れを発生させる恐れが生じる。吸収体４の幅方向中央部に弾性部材を配さないことで、吸収体の幅を広く維持してこのような不都合を防止することができる。
【００３２】
上述した各実施形態の使い捨ておむつにおける各部の形成材料について説明する。表面シート２、前記裏面シート、吸収体３、立体ガード７、外層シート２１及び内層シート２２等の形成材料としては、従来の使い捨ておむつ等において用いられている各種の材料を用いることができる。前記弾性部材５１、６１、６２，６３、７１の形成材料としては、使い捨ておむつ等に用いられる各種公知の弾性材料を用いることができ、例えば素材としては、スチレン−ブタジエン、ブタジエン、イソプレン、ネオプレン等の合成ゴム、天然ゴム、ＥＶＡ、伸縮性ポリオレフィン、ウレタン等の伸縮性の素材を広く用いることができ、例えば形態としては、断面が矩形、正方形、円形、多角形状、マルチフィラメントタイプの糸状のもの等を用いられる。
【００３３】
次に、本発明の第２〜第５実施形態としての使い捨ておむつ１Ａ〜１Ｄについて説明する。これらの使い捨ておむつは、屈曲手段の形成態様が異なる以外は、上述した使い捨ておむつ１と同様の構成については、各図中に同一の符号を付して説明を省略する。特に説明しない点については、上述した使い捨ておむつ１についての説明が適宜適用される。
【００３４】
第２実施形態のおむつ１Ａにおける屈曲手段は、図４に示すように、吸収体４の長手方向に欠落した中央欠落部８０からなり、着用時に、股下部における前記吸収体が幅方向に屈曲する屈曲吸収体部９０とからなる。
【００３５】
第３実施形態のおむつ１Ｂにおける屈曲手段は、図５に示すように、吸収体４の長手方向に欠落した中央欠落部８０が長手方向に間欠に形成されている。
【００３６】
さらに、第４実施形態のおむつ１Ｃにおける屈曲手段は、図６に示すように、吸収体４の長手方向に欠落した中央欠落部８０が幅方向に複数配置している。
【００３７】
第５実施形態のおむつ１Ｄにおける屈曲手段は、図７に示すように、吸収体４の長手方向に欠落した中央欠落部８０の幅が、中央欠落部８０の背側股下領域における背側端部から幅方向中央線に向かって広がっている。
【００３８】
ヒップ弾性部材を複数本配する場合、隣接するヒップ弾性部材同士間の間隔が、おむつ幅方向の両側それぞれにおいて、おむつ幅方向外側よりもおむつ幅方向中央側において大きくなされていることが好ましい。おむつ幅方向の両側それぞれに３本以上のヒップ弾性部材が配されている場合には、少なくとも隣接する一組のヒップ弾性部材がおむつ幅方向外側より中央側が大きいことが好ましく、隣接する総てのヒップ弾性部材同士間の幅がそのようになされていることが好ましい。例えば、第１実施形態のおむつにおいては、ヒップ弾性部材の端部６３ｂにおけるヒップ弾性部材６３，６３間の各々の間隔が、おむつ幅方向外側の端部６３ａにおけるヒップ弾性部材６３，６３の各々の間隔よりも大きくなされているが、そのような形態が好ましい。
【００３９】
隣接するヒップ弾性部材同士間の間隔が、おむつ幅方向外側よりも中央側において大きくなされていると、おむつ幅方向中央側の端部６３ｂ近傍では、異なる方向を持つ複数の収縮力が長手方向に広範囲に渡って形成されることにより、個人差の大きい様々なヒップ形状にも追随できるようになる。一方、おむつ幅方向外側の端部６３ａ近傍では複数の弾性部材が近接して配置することで単位面積当りの収縮力を高め、ズレ落ちを効果的に防止することができる。
【００４０】
おむつ幅方向外側の端部６３ａにおけるヒップ弾性部材６３，６３の各々の間隔は、３〜１５ｍｍが好ましく、５〜１０ｍｍがより好ましい。
おむつ幅方向中央側の端部６３ｂにおけるヒップ弾性部材６３，６３の各々の間隔は、１０〜３０ｍｍが好ましく、１５〜２５ｍｍがより好ましい。
（おむつ幅方向中央側の端部６３ｂにおけるヒップ弾性部材６３，６３の各々の間隔）／（おむつ幅方向外側の端部６３ａにおけるヒップ弾性部材６３，６３の各々の間隔）＝２．０〜５．０が好ましく、２．５〜４．０がより好ましい。
ヒップ弾性部材６３，６３の各々の間隔とは、ヒップ弾性部材６３，６３のおむつ幅方向外側の端部６３ａおよびおむつ幅方向中央側の端部６３ｂから、隣接するヒップ弾性部材６３，６３に向かって伸ばした垂線の長さをいう。ヒップ弾性部材６３，６３の各々の間隔は、同じであっても良い。
【００４１】
以上、本発明の好ましい実施形態について説明したが、本発明は、上述した実施形態に制限されない。
本発明の使い捨ておむつは、成人用、特に高齢者用に適しているが、幼児用に適用することもできる。幼児用のおむつの場合には、ウエスト回り領域Ｄは、ウエスト開口部の開口周縁端から３０ｍｍ下方までの領域とし、胴回り領域Ｅは、そのウエスト回り領域Ｄよりも下方に位置し且つレッグ開口部６の上端部６５の位置よりも上方に位置する領域とする。
【実施例】
【００４２】
＜実施例１＞
外装体形成用の外層及び内層シートとして何れも不織布を用いて、第１実施形態のおむつと同様の構成を有するおむつを製造した。製造した実施例の各おむつについて、前記比Ｌｂ／Ｌａを測定して表１に示した。
実施例の各おむつについて前記比Ｌｂ／Ｌａ等を測定して表１に示した。
【００４３】
＜比較例１〜５＞
市販の使い捨ておむつについて前記比Ｌｂ／Ｌａを測定して表１に示した。
【００４４】
＜性能評価＞
実施例及び比較例の使い捨ておむつについて、装着感及びズレ落ち防止性をそれぞれ下記の方法で評価した。結果を表１に示した。
１）ヒップ部の装着感
高齢者２０名に、実施例及び比較例の各おむつを２日間装着してもらい、以下の基準で装着感を評価してもらった。表１には、「ヒップ部に違和感がなく快適」と回答した人数を立位・座位それぞれについて示した。
（評価基準）
○；ヒップ部に違和感がなく快適
△；どちらともいえない
×；ヒップ部に違和感があり不快
【００４５】
２）背中ズレ落ち防止性
高齢者２０名に、実施例及び比較例の各おむつを２日間装着してもらい、以下の基準で装着感を評価してもらった。表１には、「ズレ落ちは無かった」と回答した人数について示した。
（評価基準）
○；ズレ落ちは無かった
×；ズレ落ちが有った
【００４６】
【表１】
2005168832.tif 000003
【００４７】
表１に示す評価結果から、実施例のおむつは、装着感及びズレ落ち防止性の何れにも優れていることが判る。これに対して、Ｌｂ／Ｌａが本発明の範囲から外れるもの、ヒップ弾性部材が無いもの、屈曲手段が無いもの、は装着感及びずれ落ち防止性が劣ることがわかる。つまり優れた装着感及びずれ落ち防止性を両立するためには、本発明が有効であることが判る。
【図面の簡単な説明】
【００４８】
【図１】図１は、本発明の一実施形態としての使い捨ておむつの後身頃側を示す斜視図である。
【図２】図２は、図1の使い捨ておむつの展開且つ伸張状態を示す平面図であり、図２（ａ）は、外装体上に吸収性本体が固定されている状態、図２（ｂ）は、吸収性本体を取り除いた状態を示す図である。
【図３】図３は、図２に示す使い捨ておむつの幅方向の断面図であり、図３（ａ）は図２のＸ−Ｘ断面、図３（ｂ）は図２のＹ−Ｙ断面、図３（ｃ）は、おむつ着用状態における図２のＸ−Ｘ断面をそれぞれ模式的に示す図である。
【図４】図４は、吸収体の屈曲手段が周囲を吸収体に囲まれた欠落部である実施形態を示す図〔図３（ａ）相当図〕である。
【図５】図５は、吸収体の屈曲手段が長手方向に複数配置されている実施形態を示す図〔図３（ａ）相当図〕である。
【図６】図６は、吸収体の屈曲手段が幅方向に複数配置されている実施形態を示す図〔図３（ａ）相当図〕である。
【図７】図７は、吸収体の屈曲手段が吸収体中央部の長手方向にわたって欠落する欠落部であって、おむつ中央部に向かって前記欠落部の幅が広がっている実施形態を示す図〔図３（ａ）相当図〕である。
【符号の説明】
【００４９】
１，１Ａ〜１Ｄ    使い捨ておむつ
２    表面シート
４    吸収体
５    ウエスト開口部
６    レッグ開口部
６Ａ  レッグ開口部の腹側部に位置する開口縁部
６Ｂ  レッグ開口部の背側部に位置する開口縁部
１０  吸収性本体
１２  おむつ下端部
２０  外装体
Ａ    腹側領域
Ｂ    背側領域
Ｃ    股下領域
５１  ウエスト弾性部材
６１  第１レッグ部弾性部材
６２  第２レッグ部弾性部材
６３  ヒップ弾性部材
７１  胴回り弾性部材
８０  中央欠落部（屈曲手段）
９０  屈曲吸収体部
【図１】
2005168832.tif 000004
【図２】
2005168832.tif 000005
【図３】
2005168832.tif 000006
【図４】
2005168832.tif 000007
【図５】
2005168832.tif 000008
【図６】
2005168832.tif 000009
【図７】
2005168832.tif 000010